(57)【要約】      （修正有）【課題】食べ過ぎを防止することで痩身効果を発揮することが可能であり、また、身体鍛錬や装飾としての効果を備え、使用する場所や時間や状況の自由度が高い健康用及び／又は装飾用のウエストベルトを提供する。【解決手段】ベルト本体１と、ベルト本体１の両端に取り付けられる留具２，２とを備え、ベルト本体１には、留具２，２を挿通可能なスリットがベルト本体１の長手方向に沿って複数設けられる健康用及び／又は装飾用のウエストベルトであり、使用者のウエストに装着することで、痩身や体幹を鍛える効果を奏するものである。健康用及び／又は装飾用のウエストベルトは、ベルト本体と留具の装飾性を高めることでアクセサリとしても使用可能である。【選択図】図９
0003204555.tif 000002
【実用新案登録請求の範囲】
【請求項１】
ベルト本体と、当該ベルト本体の両端に取り付けられる留具とを備える健康用及び／又は装飾用のウエストベルトであり、
前記ベルト本体には、前記留具を挿通可能なスリットがベルト本体の長手方向に沿って複数設けられていることを特徴とする健康用及び／又は装飾用のウエストベルト。
【請求項２】
前記ベルト本体は複数の紐状体を所定の方式で編んだ編紐で構成され、
前記スリットは、前記ベルト本体の編目で構成されていることを特徴とする請求項１記載の健康用及び／又は装飾用のウエストベルト。
【考案の詳細な説明】
【技術分野】
【０００１】
本考案は、痩身や体幹を鍛える効果を備え、装飾としても使用できる健康用及び／又は装飾用のウエストベルトに関するものである。
【背景技術】
【０００２】
近年、健康への関心の高まりから、家庭で使用できるコンパクトな健康器具が広く利用されている。とくに、痩身や身体を鍛える健康器具は健康増進に効果的であることから注目度が高く、様々な器具が提案されている。
【０００３】
たとえば、特許文献１には、ウエストに装着するダイエットベルトが開示されている。ベルトの両端には、力を加えると簡単に外れる留め具を備え、少しきつめに装着し、腹筋の力を緩めるとすぐに外れるようになっている。
【先行技術文献】
【特許文献】
【０００４】
【特許文献１】特開２００４−２８３５２８号公報
【考案の概要】
【考案が解決しようとする課題】
【０００５】
ところで、このような健康器具は、例えば、外出中の使用、長時間の使用、仕事中の使用など、時間や場所や状況を問わずに使用することで、飛躍的な効果が期待でき、又、時間の有効活用の面からも利便性が高い。しかしながら、上記特許文献１のベルトは、腹筋の力を緩めるとすぐに外れるため、使用者の意図に反して外れ、不用意にウエストから脱落してしまうことがある。このため、使用する場所や時間や状況が制限されてしまうという問題があった。また、近年は、健康器具にも美観が求められており、外観も重要な要素となってきている。
【０００６】
そこで、本考案は、食べ過ぎを防止することで痩身効果を発揮することが可能であり、また、身体鍛錬や装飾としての効果を備え、使用する場所や時間や状況の自由度が高い健康用及び／又は装飾用のウエストベルトを提供することを目的とする。
【課題を解決するための手段】
【０００７】
前述の目的を達成するために、本考案の健康用及び／又は装飾用のウエストベルトは、ベルト本体と、当該ベルト本体の両端に取り付けられる留具とを備える健康用及び／又は装飾用のウエストベルトであり、前記ベルト本体には、前記留具を挿通可能なスリットがベルト本体の長手方向に沿って複数設けられていることを特徴とする。
【０００８】
この考案によれば、健康用及び／又は装飾用のウエストベルトを使用者のウエストにフィットする状態で巻き、留具をスリットに挿通させると、留具がスリットに掛け留められ、健康用及び／又は装飾用のウエストベルトが使用者のウエストに装着される。ウエストに装着された健康用及び／又は装飾用のウエストベルトは、ウエストの反発によりベルト本体が引っ張られ、ベルト本体の長手方向に沿って設けられる複数のスリットが閉状態を維持することとなる。これにより、留具がスリットから更に外れにくくなり、健康用及び／又は装飾用のウエストベルトの不用意な脱落が防止可能となる。このウエストベルトはデザイン性を高めることで装飾としての効果を発揮させることも可能である。
【０００９】
前記ベルト本体は複数の紐状体を所定の方式で編んだ編紐で構成され、前記スリットは前記ベルト本体の編目で構成されていることを特徴とする。
【００１０】
この考案によれば、スリットはベルト本体の編目により構成されているため、スリットが目立ちにくく、ベルト本体の編目と相まって、装飾としての効果が更に高まる。
【考案の効果】
【００１１】
本考案の健康用及び／又は装飾用のウエストベルトによれば、ウエストにフィットした状態で装着すると、ウエストへの意識が高まり、食べ過ぎが防止されて痩身効果が得られ、又、身体鍛錬や装飾としての効果も発揮可能である。この装着状態においては、留具がスリットに掛け留められるだけでなく、ウエストの反発によりベルト本体が長手方向に引っ張られ、ベルト本体の長手方向に沿って設けられたスリットが閉状態を維持するため、留具が更に外れにくくなる。したがって、健康用及び／又は装飾用のウエストベルトの不用意な脱落が防止され、使用する場所や時間や状況の自由度が高い健康用及び／又は装飾用のウエストベルトを提供することができる。
【図面の簡単な説明】
【００１２】
【図１】本考案の実施形態における健康用及び／又は装飾用のウエストベルトの正面図である。
【図２】上記実施形態における健康用及び／又は装飾用のウエストベルトの背面図である。
【図３】上記実施形態における健康用及び／又は装飾用のウエストベルトの右側面図である。
【図４】上記実施形態における健康用及び／又は装飾用のウエストベルトの左側面図である。
【図５】上記実施形態における健康用及び／又は装飾用のウエストベルトの平面図である。
【図６】上記実施形態における健康用及び／又は装飾用のウエストベルトの底面図である。
【図７】上記実施形態における健康用及び／又は装飾用のウエストベルトの一部拡大図である。
【図８】上記実施形態における健康用及び／又は装飾用のウエストベルトのＡ−Ａ拡大図である。
【図９】上記実施形態における健康用及び／又は装飾用のウエストベルトの第一の使用態様を説明する説明図である。
【図１０】上記実施形態における健康用及び／又は装飾用のウエストベルトの第二の使用態様を説明する説明図である。
【考案を実施するための形態】
【００１３】
以下、本考案を適用した健康用及び／又は装飾用のウエストベルト１０について、図面を参照しながら説明する。図１は本考案の実施形態における健康用及び／又は装飾用のウエストベルト１０の正面図であり、図２は背面図であり、図３は右側面図であり、図４は左側面図であり、図５は平面図であり、図６は底面図である。図７は、本実施形態における健康用及び／又は装飾用のウエストベルト１０の一部拡大図であり、図８はＡ−Ａ拡大図である。
【００１４】
健康用及び／又は装飾用のウエストベルト１０は、ベルト本体１と、ベルト本体１の両端に取り付けられる留具２，２とを備え、ウエストに装着することで、痩身や体幹を鍛える効果を発揮する健康器具である。
【００１５】
ベルト本体１はナイロン等の合成繊維で構成される紐状体であり、ウエストに装着したときに、ウエストの反発に耐え得る強度を有している。長さは任意であるが、ウエストに装着するときの扱い易さを考慮すると、標準的な成人のウエストサイズの１．２倍から１．５倍程の長さが好ましく、本実施の形態では約６５０ｍｍ〜１１００ｍｍの範囲で複数のサイズを準備し、男女ともに使用できるようになっている。太さについても任意であり、本実施の形態では、幅が約５ｍｍとしている。また、ベルト本体１の素材は、伸縮性が低い合成樹脂等が好ましい。ベルト本体１として伸縮性の低い素材を使用することにより、ウエストを締め付ける力を強くすることができ、食べ過ぎ防止の効果や、体幹を鍛える効果がより高められる。
【００１６】
ベルト本体１の構造も任意であるが、本実施の形態では、複数本の紐状体を所定の方式で編んだ編紐で構成されている。このため、ベルト本体１には全長に渡って編目が形成されている。
【００１７】
ベルト本体１の両端には金属製の留具２が取り付けられている。留具２は、円盤形状の留具本体２ａと、留具本体２の裏面に設けられる円柱状の突起２ｂを備える。突起２ｂには小孔が設けられており、ベルト本体１の端部が小孔内に埋め込まれることで留具２とベルト本体１とが連結されている。留具本体２ａの直径は突起２ｂの直径よりも大きく、本実施の形態では、留具本体２ａが直径約１３ｍｍであり、突起２ｂが直径約８ｍｍである。また、留具本体２ａの表面にはＷの模様が刻印されており、装飾効果を高めている。
【００１８】
図７に示すように、ベルト本体１には長手方向に沿ってスリット１ａ，，，１ａが設けられている。なお、図７中において、端部の二つのスリット１ａ，１ａは開いた状態であるが、これは説明の便宜上、スリット１ａを明確に示すためであり、実際は他のスリット１ａのように静的には閉じた状態である。各スリット１ａは、留具２が挿通可能な大きさであれば良い。本実施の形態では、留具２を押し込むことで挿通する程度の空間を形成可能な大きさである。詳しくは、スリット１ａは閉じた状態において約１５ｍｍである。このスリット１ａは、ベルト本体１の全長に渡って設けられており、幅広いウエストサイズに対応可能となっている。
【００１９】
また、ベルト本体１は複数の紐状体を所定の方式で編んだ編紐で構成されており、スリット１ａ，，，１はベルト本体１の編目によって構成されている。これにより、ベルト本体の長さ方向の全長に渡って設けられるスリットが目立ちにくく、ベルト本体１の編目と相まって、装飾効果が飛躍的に高まる。詳しくは、図７に示すように、各スリット１ａの領域においては、２本の紐状体を編んで一本とした第一編紐部１ａ１を２本並列させ、各スリット１ａの領域の両端は２本の編紐部１ａ１，１ａ１を連結するように編むことで一本とした第二編紐部１ａ２を形成し、これにより第一編紐部１ａ１，１ａ１の間にスリット１ａを形成している。
【００２０】
以下、健康用及び／又は装飾用のウエストベルト１０の使用方法について説明する。図９は本実施形態における健康用及び／又は装飾用のウエストベルト１０の第一の使用態様を説明する説明図であり、図１０は第二の使用態様を説明する説明図である。なお、図９，１０において、破線は使用者のウエストＷの一部を示す。
【００２１】
（第一の使用態様）
図９に示すように、第一の使用態様は、健康用及び／又は装飾用のウエストベルト１０を使用者のウエストＷに巻き付け、スリット１ａに留具２を押し込むようにして挿通させる。このとき、ベルト本体１はウエストＷにフィットさせ、二つの留具２，２のうち一方の留具２のみをスリット１ａに挿通させる。スリット１ａは静的に閉状態であるため、挿通した留具２が外れる可能性は低いが、ベルト本体１が使用者のウエストＷに装着されることで、ウエストＷの反発によりベルト本体１が引っ張られ、スリット１ａの閉状態が確実に維持される。このため、留具２がスリット１ａから外れ難くなり、健康用及び／又は装飾用のウエストベルト１０が使用者のウエストＷから不用意に脱落することが防止される。使用者の姿勢や食事の量に伴って、健康用及び／又は装飾用のウエストベルト１０が緊張状態となると、スリット１ａは固く閉じ、更に脱落しにくくなる。
【００２２】
（第二の使用態様）
健康用及び／又は装飾用のウエストベルト１０は、図１０に示すように使用することも可能である。第二の使用態様は、二つの留具２，２の両方をスリット１ａ，１ａに挿通させる。すなわち、ベルト本体１を使用者のウエストＷに巻き付け、ウエストＷの前方で端部をクロスさせた状態とし、一方の留具２はクロス部分の一方側にあるスリット１ａに挿通し、他方の留具２はクロス部分の他方側にあるスリット１ａに挿通する。これにより二つの留具２，２で両端をしっかりと固定でき、使用者のウエストＷを更に強く締め付けることができる。また、脱落防止効果が更に高められ、使用時の安心感が増す。
【００２３】
また、第一の使用態様、及び、第二の使用態様ともに、健康用及び／又は装飾用のウエストベルト１０は、素肌に直接装着しても良いし、衣服の上に装着しても良い。素肌の上に装着すると、健康用及び／又は装飾用のウエストベルト１０による刺激や触感がダイレクトに使用者に伝わり、使用者の意識がウエストに集中することで、痩身や体幹を鍛える効果が高まる。また、健康用及び／又は装飾用のウエストベルト１０を衣服に隠した状態で装着することもでき、周囲に知られることなく使用することも可能である。
【００２４】
一方、衣服の上に装着することにより、装飾としての効果を得ることも可能である。とくに、本実施の形態の健康用及び／又は装飾用のウエストベルト１０は、非常に装飾性の高いデザインとなっている。すなわち、ベルト本体１は複数の紐状体を編むことで構成され、スリット１ａ，，，１ａはベルト本体１の編目により構成されていることから、スリット１ａ，，，１ａが目立ちにくく、ベルト本体１の編目と相まって、装飾として高い効果を発揮している。第二の使用態様のように、一方の留具２のみをスリット１ａに挿通させ、他方の留具２は挿通させない状態とすると、他方の留具２の荷重によりベルト本体１の一端側が垂下し、使用者の動作に合わせて揺れ動くことで、装飾効果が更に高まる。
【００２５】
また、スカートやズボンのベルトループ等に通したり、シャツの上から使用することで、衣服のズレを防止する効果も得られる。
【００２６】
以上のように、健康用及び／又は装飾用のウエストベルト１０によれば、ウエストにフィットした状態で装着すると、ウエストＷへの意識が高まり、痩身や体幹を鍛えるの効果を有することとなる。この装着状態においては、留具２がスリット１ａに掛け留められるだけでなく、ウエストＷの反発によりベルト本体１が長手方向に引っ張られ、ベルト本体１の長手方向に沿って設けられたスリット１ａが閉状態を維持するため、留具２が外れにくくなる。したがって、健康用及び／又は装飾用のウエストベルト１０の不用意な脱落が防止され、使用する場所や時間や状況の自由度が高い健康用及び／又は装飾用のウエストベルト１０を提供することができる。仕事や学校等の活動時間中であっても日常的に使用可能となり、脱落を心配することなく一日中装着していることもできる。
【００２７】
以上、本考案を適用した実施形態についてを説明してきたが、本考案が前述の実施形態に限られるものでないことは言うまでもなく、本考案の要旨を逸脱しない範囲において、種々の変更を加えることが可能である。
【００２８】
例えば、ベルト本体は編紐ではなく、組紐，織紐，裁紐，絎紐，束ね紐でも良く、又、一本の帯状体にスリットを設けたものでも良い。また、ベルト本体の太さや長さも適宜設計すれば良い。ベルト本体を構成する紐状体は、糸、毛糸、布、紐など、様々なものが適用可能であり、また、その素材も、ナイロン等から成る合成繊維だけでなく、綿等の天然繊維、本皮、合皮、その他、ベルト本体として使用できるものであれば良い。
【００２９】
また、留具を挿通するスリットは、ベルト本体の全長に渡って設けることなく、ベルト本体の両端側の所定範囲にのみ設けても良い。
【００３０】
また、留具の形状は立方体や角錐や球体等でも良く、その素材も樹脂や木質材など、留具としての機能を発揮する形状であれば良い。
【００３１】
また、本考案の健康用及び／又は装飾用のウエストベルトは、痩身のみを目的として使用しても良いし、体幹を鍛えることのみを目的としても良いし、アクセサリのように装飾を目的として使用しても良いし、これらのうちのいずれか二つ、又は、全てを目的として使用しても良い。
【符号の説明】
【００３２】
１０  健康用及び／又は装飾用のウエストベルト
１    ベルト本体
１ａ  スリット
２    留具
２ａ  留具本体
２ｂ  突起
Ｗ    ウエスト
【図１】
0003204555.tif 000003
【図２】
0003204555.tif 000004
【図３】
0003204555.tif 000005
【図４】
0003204555.tif 000006
【図５】
0003204555.tif 000007
【図６】
0003204555.tif 000008
【図７】
0003204555.tif 000009
【図８】
0003204555.tif 000010
【図９】
0003204555.tif 000011
【図１０】
0003204555.tif 000012